(57)【要約】【課題】  操作部の周囲を照明する照明構造に関し、特に、ハーフミラーのクリアプレートに設けられる発光部が、照度が均一になるように環状に発光し、発光しない場合にはほぼ不可視になる照明構造を提供する。【解決手段】  照明構造は、背面側全面のハーフミラー処理層の背面側に、それらの間に環状形の透光スリットを規定する環状形の第１および第２黒色シルク印刷層を有するクリアプレートと、その背面側に取り付けられる透光部材と、基板に取り付けられて照明光を透光部材に放射する複数の発光素子と、これらを取り付ける筐体と、を含み、透光部材が、クリアプレートの透光スリットに背面側から接する端面および略円錐台状の外側曲面を規定する椀状部を有し、透光スリットを正面視する場合に、透光スリットの背面側に透光部材の椀状部の外側曲面が配置されるように、椀状部の外側曲面の傾斜角度が規定されている。【選択図】  図１
2014026753.tif 000002
【特許請求の範囲】
【請求項１】
背面側全面にハーフミラー処理層を有し、該ハーフミラー処理層の背面側に、それらの間に環状形の透光スリットを規定する環状形の第１黒色シルク印刷層および第２黒色シルク印刷層と、を有するクリアプレートと、略透明な樹脂で形成されて該クリアプレートの背面側に取り付けられる透光部材と、基板に取り付けられて照明光を該透光部材に放射する複数の発光素子と、該基板および該クリアプレートおよび該透光部材を取り付ける筐体と、を含み、
該透光部材が、該クリアプレートの該透光スリットに背面側から接する端面および略円錐台状の外側曲面を規定する椀状部を有し、該クリアプレートの該透光スリットを正面視する場合に、該透光スリットの背面側に該透光部材の該椀状部の該外側曲面が配置されるように、該椀状部の該外側曲面の傾斜角度が規定されている、
照明構造。
【請求項２】
略円筒形状の操作ノブと、該操作ノブを回転可能に軸支して前記基板に固定される操作部品と、をさらに含み、
前記クリアプレートが、該操作部品の軸が通過する中心孔を有し、かつ、該操作ノブの背面側であって該操作部品の該基板への取付部分の前面側を覆うように配置され、前記透光スリットが、該操作ノブの外周側の可視範囲に位置して該操作ノブの外周を照明する、
請求項１に記載の照明構造。
【請求項３】
前記クリアプレートの前記第１黒色シルク印刷層が、さらにその背面側に白色シルク印刷層をさらに有し、
前記透光部材の前記椀状部の前記外側曲面が、さらにその背面側に白色シルク印刷層または白色樹脂層を有する、
請求項１または２に記載の照明構造。
【請求項４】
前記透光部材が、前記椀状部の内部側に、一端側が該椀状部に連結して、他端側が前記クリアプレートの前記第１黒色シルク印刷層が設けられる中心部に当接するクリアプレート支持部をさらに有する、
請求項１から３のいずれかに記載の照明構造。
【請求項５】
請求項１から４のいずれかに記載の照明構造を含む、電子機器または映像音響機器。
【発明の詳細な説明】
【技術分野】
【０００１】
本発明は、電子機器または映像音響機器等の操作部において、操作部の周囲を照明する照明構造に関し、特に、ハーフミラーのクリアプレートに設けられる発光部が、照度が均一になるように環状に発光し、発光しない場合にはほぼ不可視になる照明構造およびこれを用いる電子機器または映像音響機器に関する。
【背景技術】
【０００２】
電子機器または映像音響機器等の操作部では、例えば、オーディオ機器におけるボリューム操作などに用いられる回転式の操作部品に取り付けられる円形の操作ノブの周囲を、発光ダイオード（
以下、ＬＥＤとする）等を用いて照明する構造が採用されている場合がある。複数のＬＥＤによって操作ノブの外周を均一に照明するにも、ＬＥＤの数が少ない場合には照度が不均一になる場合があり、これを解決するために様々な照明構造が提案されている。
【０００３】
例えば、従来には、操作部の外周を照明する照明構造であって、照明するための光を放射する複数の発光手段と、該発光手段から放射された光を内部に透過させ、外周に光を放出する透過手段とを備え、該透過手段が、該操作部の直径よりも直径が大きくその外周から光を該操作部の外周に向かって放出する椀状部と、該椀状部に延設され、該発光手段が内部に配置されることにより、該発光手段から放射される光を該椀状部へと導く筒部とを有し、該発光手段と対向する位置であり、かつ、該操作部に対向する位置に該筒部の開口部が規定されることにより、該発光手段から放射された光のうち、該発光手段の正面から放射された光を該操作部へと通過させる通過孔が規定されており、該通過孔を通過した光が該操作部によって遮断される、照明構造がある（特許文献１）。
【０００４】
また、電子機器または映像音響機器等の操作部では、ＬＥＤが消灯しているときは照明構造の発光部がほぼ目視できないように不可視にするデザインを実現するように、ハーフミラーを採用する照明構造がある。照明構造が発光していない場合に発光する部分が不可視であれば、発光する場合との対比が際立つので、電子機器または映像音響機器等を操作するユーザーにとって、デザイン上の印象が深くなるという利点がある。
【０００５】
例えば、従来には、外部に露出して目視可能な前端面を有するとともに、後端面に鋸歯状の凹凸からなるセレーションを有する導光体と、スイッチ操作体を操作することによってスイッチング動作可能なスイッチと、前記導光体の前記後端面と対向して設置され、前記スイッチのスイッチング動作に従って点灯・消灯する光源と、を備える照光装置において、前記導光体は、前記前端面側から入射する外部光を前記セレーションによって反射し、この反射光を外部に放射可能であることを特徴とする照光装置がある（特許文献２）。前記導光体は、セレーションの代わりにハーフミラーを採用したものとしても良く、また、セレーション面をハーフミラーとしたり、導光体の前端面を透過率の高いハーフミラーとしたりする場合がある。
【先行技術文献】
【特許文献】
【０００６】
【特許文献１】特許第４０２９８７０号公報  （第１図〜第２図）
【特許文献２】特開２００５−１４２１１７号公報  （第１図〜第７図）
【０００７】
ただし、特許文献１または２のような従来の照明構造では、操作ノブの外周を照度が均一になるように環状に発光させ、発光しない場合にはほぼ不可視とする課題を解決するには十分でない。特許文献１または２を含む従来の照明構造では、ＬＥＤからの光を導く導光体を操作ノブの周囲に設けるものの、導光体自体が不可視ではないからである。
【発明の概要】
【発明が解決しようとする課題】
【０００８】
本発明は、上記の従来技術が有する問題を解決するためになされたものであり、その目的は、照明構造およびこれを用いる電子機器または映像音響機器に関し、特に、ハーフミラーのクリアプレートに設けられる発光部が、照度が均一になるように環状に発光し、発光しない場合にはほぼ不可視になる照明構造を提供することにある。
【課題を解決するための手段】
【０００９】
本発明の照明構造は、背面側全面にハーフミラー処理層を有し、ハーフミラー処理層の背面側に、それらの間に環状形の透光スリットを規定する環状形の第１黒色シルク印刷層および第２黒色シルク印刷層と、を有するクリアプレートと、略透明な樹脂で形成されてクリアプレートの背面側に取り付けられる透光部材と、基板に取り付けられて照明光を透光部材に放射する複数の発光素子と、基板およびクリアプレートおよび透光部材を取り付ける筐体と、を含み、透光部材が、クリアプレートの透光スリットに背面側から接する端面および略円錐台状の外側曲面を規定する椀状部を有し、クリアプレートの透光スリットを正面視する場合に、透光スリットの背面側に透光部材の椀状部の外側曲面が配置されるように、椀状部の外側曲面の傾斜角度が規定されている。
【００１０】
また、本発明の照明構造は、略円筒形状の操作ノブと、操作ノブを回転可能に軸支して基板に固定される操作部品と、をさらに含み、クリアプレートが、操作部品の軸が通過する中心孔を有し、かつ、操作ノブの背面側であって操作部品の基板への取付部分の前面側を覆うように配置され、透光スリットが、操作ノブの外周側の可視範囲に位置して操作ノブの外周を照明する。
【００１１】
また、本発明の照明構造は、クリアプレートの第１黒色シルク印刷層が、さらにその背面側に白色シルク印刷層をさらに有し、透光部材の椀状部の外側曲面が、さらにその白色シルク印刷層または白色樹脂層を有する。
【００１２】
好ましくは、本発明の照明構造は、透光部材が、椀状部の内部側に、一端側が椀状部に連結して、他端側がクリアプレートの第１黒色シルク印刷層が設けられる中心部に当接するクリアプレート支持部をさらに有する。
【００１３】
また、本発明の電子機器または映像音響機器は、上記の照明構造を含む。
【００１４】
以下、本発明の作用について説明する。
【００１５】
本発明の照明構造は、背面側全面にハーフミラー処理層を有し、ハーフミラー処理層の背面側に、それらの間に環状形の透光スリットを規定する環状形の第１黒色シルク印刷層および第２黒色シルク印刷層と、を有するクリアプレートと、略透明な樹脂で形成されてクリアプレートの背面側に取り付けられる透光部材と、基板に取り付けられて照明光を透光部材に放射する複数の発光素子と、基板およびクリアプレートおよび透光部材を取り付ける筐体と、を含む。したがって、ハーフミラー処理されたクリアプレートは、ほぼ全体が反射面に見えるので、ＬＥＤ等の発光素子が発光して透光スリットからの照明光が照射される場合を除いて、発光素子が発光しない場合にはほぼ不可視になる。
【００１６】
ここで、透光部材は、クリアプレートの透光スリットに背面側から接する端面および略円錐台状の外側曲面を規定する椀状部を有し、クリアプレートの透光スリットを正面視する場合に、透光スリットの背面側に透光部材の椀状部の外側曲面が配置されるように、椀状部の外側曲面の傾斜角度が規定されている。したがって、クリアプレートの透光スリットの直ぐ背面に、発光素子からの照明光を導く透光部材の椀状部が配置されていても、狭い透光スリットを正面視する場合には、クリアプレートから透光部材の椀状部の外側曲面までの距離が比較的に遠くなり、発光素子が発光しない場合に透光スリットを認識しにくくすることができる。クリアプレートの前面側から入射する光が存在する場合にも、椀状部の外側曲面が傾斜するように規定されているので、入射光が反射して透光スリットに返って来にくくなるので、発光素子が発光しない場合に透光スリットを認識しにくくすることができる。
【００１７】
また、本発明の照明構造は、略円筒形状の操作ノブと、操作ノブを回転可能に軸支して基板に固定される操作部品と、をさらに含む。クリアプレートが、操作部品の軸が通過する中心孔を有し、かつ、操作ノブの背面側であって操作部品の基板への取付部分の前面側を覆うように配置されていれば、透光スリットが、操作ノブの外周側の可視範囲に位置することになり、発光素子を発光させると、透光スリットが操作ノブの外周を照明する。したがって、回転する操作部品を含む電子機器または映像音響機器において、操作ノブの周囲を照明する場合に、発光する部分である透光スリットを、発光素子が発光しない場合にほぼ不可視にすることができる。照明構造が発光していない場合に発光する部分が不可視であれば、発光する場合との対比が際立つので、電子機器または映像音響機器等を操作するユーザーにとってのデザイン上の印象を強くすることができる。
【００１８】
本発明の照明構造では、クリアプレートの第１黒色シルク印刷層が、さらにその背面側に白色シルク印刷層をさらに有し、透光部材の椀状部の外側曲面が、さらにその背面側に白色シルク印刷層または白色樹脂層を有するようにしてもよい。また、透光部材は、椀状部の内部側に、一端側が椀状部に連結して、他端側がクリアプレートの第１黒色シルク印刷層が設けられる中心部に当接するクリアプレート支持部をさらに有するようにしてもよい。クリアプレートの背面側に配置された透光部材の内部で、発光素子からの放射された光が散乱しやすくなるので、環状の透光スリットからの発光が、照度が均一になるようにすることができる。
【発明の効果】
【００１９】
本発明の照明構造およびこれを用いる電子機器または映像音響機器操作部の周囲を照明する照明構造は、ハーフミラーのクリアプレートに設けられる発光部が、照度が均一になるように環状に発光し、発光しない場合にはほぼ不可視になる照明構造を提供することができる。
【図面の簡単な説明】
【００２０】
【図１】本発明の好ましい実施形態による映像音響機器１の照明構造１０を説明する斜視図である。（実施例１）
【図２】本発明の好ましい実施形態による映像音響機器１の照明構造１０を説明する展開斜視図である。（実施例１）
【図３】本発明の好ましい実施形態による映像音響機器１の照明構造１０を説明する断面図である。（実施例１）
【図４】本発明の好ましい実施形態による映像音響機器１の照明構造１０を説明する一部拡大断面図である。（実施例１）
【図５】本発明の好ましい実施形態による映像音響機器１の照明構造１０における点灯時および消灯時の見え方を説明する図である。（実施例１）
【発明を実施するための形態】
【００２１】
以下、本発明の好ましい実施形態による電子機器または映像音響機器操作部の周囲を照明する照明構造について説明するが、本発明はこれらの実施形態には限定されない。
【実施例１】
【００２２】
図１〜図５は、本発明の好ましい実施形態による映像音響機器１の照明構造１０を説明する図である。具体的には、図１は、照明構造１０を含む映像音響機器１の全体像を示す斜視図であり、また、図２は、照明構造１０を構成する部品を展開した展開図である。さらに、図３は、照明構造１０の断面図であり、図４は、図３の一部をさらに拡大した断面図である。また、図５は、映像音響機器１の照明構造１０における点灯時および消灯時の見え方を説明する図であり、具体的には、映像音響機器１の実施例であるＡＶレシーバー（チューナー付き増幅器）製品のボリュームの操作ノブ６の付近を正面側から撮影した写真である。なお、図を分かりやすくするために、映像音響機器１の全体構成と、照明構造１０の説明に不要な一部の構成の図示を省略している。
【００２３】
本実施例の映像音響機器１の映像音響機器１の筐体は、金属製のシャーシ２と、シャーシ２の天面および側面（場合によっては平面も）を覆うカバー３と、シャーシ２に連結する操作部ならびに表示部を含むフロントパネル４と、シャーシ２に連結する（図示しない）リアパネルと、を含んで構成される。樹脂または金属で形成されるフロントパネル４の右側には、中心に貫通孔を含んで大型の操作ノブ６の大きさに対応する凹部４ａが設けられている。操作ノブ６は、映像音響機器１の音声出力レベルを調整するボリュームの操作ノブであって、円筒状の基体を時計回り方向または反時計回り方向に回転させることで、出力する音声信号の音量レベルを調整することができる。
【００２４】
本実施例で説明する映像音響機器１の照明構造１０は、フロントパネル４の右側に設けられるボリュームの操作ノブ６の周囲を照明するように設けられる。図２〜図４に図示するように、照明構造１０は、ハーフミラー処理されたクリアプレート５を含む。クリアプレート５は、フロントパネル４の凹部４ａに嵌る位置であって操作ノブ６の背面側に透光部材８を介して固定される。透光部材８は、ナット７によってボリュームの操作部品であるロータリーエンコーダ９に取り付けられる。
【００２５】
ロータリーエンコーダ９の回路部分は、シャーシ２またはフロントパネル４に固定されている基板１１に連結されている。基板１１には、照明光を透光部材８に放射するＬＥＤ１２が複数個取り付けられる。本実施例のＬＥＤ１２は、映像音響機器１の電源がＯＮの状態でＬＥＤが点灯して、一方で、映像音響機器１の電源がＯＦＦの状態でＬＥＤが消灯する。操作ノブ６は、ボリュームの操作部品であるロータリーエンコーダ９の軸部に圧入されて軸支される。クリアプレート５は、ロータリーエンコーダ９の軸部が通過する中心孔５ａを有する。したがって、クリアプレート５および透光部材８が、操作ノブ６の背面側であってロータリーエンコーダ９の基板１１への取付部分の前面側を覆うように配置される。
【００２６】
照明構造１０を構成するクリアプレート５は、略透明な基体５０の背面側全面にハーフミラー処理層５１を有する。クリアプレート５は、ポリカーボネート樹脂で形成されて、他のアクリル樹脂等の透明な樹脂、あるいは、ほぼ透明なガラス、等で形成されていてもよい。また、ハーフミラー処理層５１は、アルミまたは銀といった反射物質を薄く積層させた層構造であって、入射光を全部反射させずに、一部の光を通過させる。クリアプレート５は、その背面側からハーフミラー処理層５１の背面側に、それらの間に環状形の透光スリット５ｓを規定する環状形の第１黒色シルク印刷層５２および第２黒色シルク印刷層５３と、を有する。つまり、透光スリット５ｓは、ハーフミラー処理層５１のみの部分であって、第１黒色シルク印刷層５２と第２黒色シルク印刷層５３との間に規定される。
【００２７】
したがって、クリアプレート５を前面視すると、ハーフミラー処理層５１によって全体的に反射面が形成される一方で、ハーフミラー処理層５１の反射率を高めるように調整すると、透光スリット５ｓは、ＬＥＤ１２が消灯している場合にはほぼ見えなくなる。図５（ａ）に図示するように、照明構造１０は、映像音響機器１の電源がＯＮの状態でＬＥＤが点灯して、操作ノブ６の周囲に幅が狭くて均一に光るリング状の帯がハーフミラーのクリアプレート５上に目視できるように発光する。一方で、図５（ｂ）に図示するように、映像音響機器１の電源がＯＦＦの状態でＬＥＤが消灯すると、クリアプレート５の発光部分がほぼ見えないようになっている。なお、図５（ｂ）に図示する場合では、クリアプレート５における透光スリット５ｓの位置が分かりやすいように、ハーフミラー処理層５１の反射率を低くするように調整して図示している。また、後述するように、クリアプレート５０の第１黒色シルク印刷層５２は、さらにその背面側に白色シルク印刷層５４をさらに有する。
【００２８】
本実施例の透光部材８は、略透明な樹脂で形成されて、ＬＥＤ１２から放射される光を拡散させて、クリアプレート５の透光スリット５ｓへ導く部材である。透光部材８は、クリアプレート５の透光スリット５ｓに背面側から接する端面８ａおよび略円錐台状の外側曲面８ｂを規定する椀状部８ｃを有する。椀状部８ｃの外側曲面８ｂは、さらにその背面側に白色シルク印刷層８ｅを有している。また、透光部材８は、椀状部８ｃの内部側に、クリアプレート支持部８ｄをさらに有する。クリアプレート支持部８ｄは、一端側が椀状部８ｃに連結して、他端側がクリアプレート５の第１黒色シルク印刷層５２が設けられる中心部に当接し、クリアプレート５を支持する。
【００２９】
したがって、フロントパネル４の凹部４ａのクリアプレート５の背面側であって、透光部材８クリアプレート５の白色シルク印刷層５４と、透光部材８の外側曲面８ｂの白色シルク印刷層８ｅと、によって囲われる空間に、ＬＥＤ１２から光が放射される。ＬＥＤ１２から放射された光は、白色シルク印刷層によって拡散するように反射するので、ＬＥＤ１２が例えば、２個あるいは３個と限られている場合であっても、円環状の透光スリット５ｓをほぼ均一に光らせることができる。
【００３０】
透光部材８は、映像音響機器１のユーザーが照明構造１０の操作ノブ６をほぼ正面視する場合に、クリアプレート５の透光スリット５ｓのちょうど背面側に、透光部材８の椀状部８ｃの外側曲面８ｂが配置されるように、椀状部８ｃの外側曲面８ｂの傾斜角度θ（中心軸に平行な直線に対する角度であり、本実施例では１５度。）が規定されている。例えば、椀状部８ｃの外側曲面８ｂは、図示する断面において中心軸に対して約５〜約６０度の傾斜角度によって規定される略円錐面状の曲面である。この傾斜角度は、好ましくは、約１０度〜約４５度、さらに好ましくは、約１０度〜約３０度である。クリアプレート５の透光スリット５ｓの背面直後に配置される透光部材８の端面８ａはほぼ透明であるので、ハーフミラー処理層５１が形成された透光スリット５ｓの背面側に目視できない。また、光部材８の椀状部８ｃの外側曲面８ｂが傾斜するように規定されているので、クリアプレート５の透光スリット５ｓから外側曲面８ｂまでの距離が比較的に遠くなり、透光スリット５ｓから入射する光が存在する場合にも、傾斜していることで透入射光が反射して透光スリットに返って来にくくなる。
【００３１】
その結果、ＬＥＤ１２が発光しない場合に、クリアプレート５の透光スリット５ｓを認識しにくくすることができる。つまり、ハーフミラー処理されたクリアプレート５は、ほぼ全体が反射面に見えるので、ＬＥＤ１２が発光して透光スリット５ｓからの照明光が照射される場合を除いて、ＬＥＤ１２が発光しない場合には透光スリット５ｓはほぼ不可視になる。照明構造１０が発光していない場合に発光する部分である透光スリット５ｓが不可視であれば、ＬＥＤ１２が発光する場合との対比が際立つので、映像音響機器１を操作するユーザーにとってのデザイン上の印象を強くすることができる。
【００３２】
具体的には、ボリュームの操作ノブ６の表面が、光沢のある金属調に仕上げられている場合には、操作ノブ６の背面側に配置されたハーフミラー処理されたクリアプレート５は、ＬＥＤ１２が発光しない場合には操作ノブ６の側面部分を反射して映すことになる。ところが、ＬＥＤ１２を発光させる場合には、透光スリット５ｓから光が放射されて操作ノブ６を照らすので、操作ノブ６の周囲を含めてデザイン的に際立たせる効果を発揮することができる。
【００３３】
なお、本発明は上記実施例に限定されない。照明構造１０が照らす対象は、上記実施例のようなボリュームの操作ノブに限定されず、他の操作部を構成する他の略環状のボタン、あるいは、ツマミであってもよい。また、クリアプレート５の透光スリット５ｓは、円環状に限られず、四角形等の他の形状であってもよい。また、クリアプレート５の透光スリット５ｓは、操作部品を伴わない表示部を構成するクリアプレート５の周囲に設けるものであっても良い。
【産業上の利用可能性】
【００３４】
本発明の照明構造は、音声信号を増幅する増幅器等の映像音響機器のみならず、他の映像音響機器又は電子機器等の機器の照明構造にも適用が可能である。
【符号の説明】
【００３５】
１            映像音響機器
２            シャーシ
３            カバー
４            フロントパネル
５            クリアプレート
６            操作ノブ
７            ナット
８            透光部材
９            ロータリーエンコーダ
１０          照明構造
１１          基板
１２          ＬＥＤ
【図１】
2014026753.tif 000003
【図２】
2014026753.tif 000004
【図３】
2014026753.tif 000005
【図４】
2014026753.tif 000006
【図５】
2014026753.tif 000007